(57)【要約】【課題】  注意・警告表示を、目で見れば容易に確認できるようにしたラベル付き薬品容器を提供する。【解決手段】  薬液が収容可能な透視性を有する薬品容器２と、該薬品容器２の胴部２ａに貼着される非透視性のラベル３と、を備え、ラベル３の表面３ａには、薬品情報表示部Ａが設けられ、裏面３ｂには、注意・警告情報表示部Ｂが設けられ、ラベル３が胴部２ａに巻き付けられた状態で、ラベル３の両端が一定間隔離れることによって形成されるラベル空白領域Ｃからラベル３の裏面３ｂの注意・警告情報表示部Ｂを視認することを特徴とすることにより、注意・警告情報を、ラベル両端の間から透かして視認することができる。【選択図】  図１
0003141505.tif 000002
【実用新案登録請求の範囲】
【請求項１】
薬液が収容可能な透視性を有する薬品容器と、
該薬品容器の胴部に巻き付けられるように貼着される非透視性のラベルと、を備え、
前記ラベルの表面には、薬品情報を表示した薬品情報表示部が設けられ、一方、前記ラベルの裏面の中間部には、注意・警告情報を表示した注意・警告情報表示部が設けられ、
前記ラベルが前記胴部に巻き付けられた状態で、前記ラベルの裏面の前記注意・警告情報表示部を外部から視認することができるようにしたことを特徴とするラベル付き薬品容器。
【請求項２】
薬液が収容可能な透視性を有する薬品容器と、
該薬品容器の胴部に巻き付けられるように貼着される非透視性の、前記胴部の周長よりも短い巻き付け長さのラベルと、を備え、
前記ラベルの表面には、薬品情報を表示した薬品情報表示部が設けられ、一方、前記ラベルの裏面の中間部には、注意・警告情報を表示した注意・警告情報表示部が設けられ、
前記ラベルが前記胴部に巻き付けられた状態で、前記ラベルの両端が一定間隔離れることによって形成されるラベル空白領域から前記ラベルの裏面の前記注意・警告情報表示部を外部から視認することができるようにしたことを特徴とするラベル付き薬品容器。
【請求項３】
前記注意・警告情報表示部の位置が、前記ラベルの両端間に形成される前記ラベル空白領域に対して、前記胴部の径方向で対峙するように配置させたことを特徴とする請求項２に記載のラベル付き薬品容器。
【請求項４】
薬液が収容可能な透視性を有する薬品容器と、
該薬品容器の胴部に巻き付けられるように貼着される非透視性のラベルと、を備え、
前記ラベルの表面には、薬品情報を表示した薬品情報表示部が設けられ、一方、前記ラベルの裏面の中間部には、注意・警告情報を表示した注意・警告情報表示部が設けられ、
前記ラベルの一部に、そのラベルから分離可能で当該薬品容器以外の他の対象に貼着させる分離ラベル部が形成され、前記ラベルが前記胴部に巻き付けられた状態で、前記分離ラベル部が前記ラベルから分離された後に生じるラベル空白領域から前記ラベルの裏面の前記注意・警告情報表示部を外部から視認することができるようにしたことを特徴とするラベル付き薬品容器。
【請求項５】
前記ラベルは、前記薬品容器の胴部をほぼ１周するように、その薬品容器に巻き付けられ、前記分離ラベル部は、前記ラベルの両端の少なくとも一方の側又は中間部に形成され、その分離ラベル部が前記ラベルから分離されることにより前記ラベル空白領域が生じるようにしたことを特徴とする請求項４に記載のラベル付き薬品容器。
【請求項６】
前記注意・警告情報表示部はラベルの裏面に印刷され、その印刷後、ラベルの裏面における前記注意・警告情報表示部を含む又は除く領域には、粘着部が形成されることを特徴とする請求項１ないし５のいずれか１項に記載のラベル付き薬品容器。
【請求項７】
前記ラベルの裏面における前記注意・警告情報表示部を含む又は除く領域には、粘着部が形成され、その粘着部の形成後、前記注意・警告情報表示部を印刷したことを特徴とする請求項１ないし５のいずれか１項に記載のラベル付き薬品容器。
【考案の詳細な説明】
【技術分野】
【０００１】
本考案は、取り扱い時の注意・警告喚起の表示を施したラベル付き薬品容器に関する。
【背景技術】
【０００２】
医療従事者は、それぞれに異なる患者毎の様々な条件に対する多様な医療作業に対応し、また時として刻々と変化する患者の状態によっては迅速で適切な対応が要求され、ともすればその多忙さゆえに日常的に行っている対処のなかの一部を忘れたり、処置済と勘違いするなど人為的なミスが起き易い状態は医療操作には常に潜在している。このような状況下においても、医療作業に使用する医薬品は、その品名、ロット番号、製造日、品質保持期限等の医薬品情報を表示したラベルが貼着されているバイアル、アンプル、シリンジなどの薬品容器を使用しているのが一般的である（特許文献１参照）。
【０００３】
【特許文献１】特開２００３−１０８００２号公報
【考案の開示】
【考案が解決しようとする課題】
【０００４】
このような特許文献１の薬品容器のラベルは、その表面に医薬品情報が主に表示されているだけであり、とくに、医薬品の使用に際しての注意内容や、警告内容は表示されているものの、ラベルサイズ及び表示面積の制限により細かい文字で記載されており、医療従事者の取り扱い、使用方法で人為的ミスが発生するおそれを有している。
【０００５】
本考案は、医療従事者の人為的ミスを防止するための注意・警告表示を、薬品容器のラベルに表示し、使用する薬品容器を目で見れば容易に確認できるようにしたラベル付き薬品容器を提供することにある。
【課題を解決するための手段及び考案の効果】
【０００６】
上記課題を解決するために、本考案のラベル付き薬品容器は、薬液が収容可能な透視性を有する薬品容器と、該薬品容器の胴部に巻き付けられるように貼着される非透視性のラベルと、を備え、前記ラベルの表面には、薬品情報を表示した薬品情報表示部が設けられ、一方、前記ラベルの裏面の中間部には、注意・警告情報を表示した注意・警告情報表示部が設けられ、前記ラベルが前記胴部に巻き付けられた状態で、前記ラベルの裏面の前記注意・警告情報表示部を外部から視認することができるようにしたことを特徴とする。
【０００７】
上記構成とすることにより、薬品容器に貼着されるラベルの裏面に表示された注意・警告情報を、外部から視認することができる。このときには、容器内の薬液（内容液）を取り出す際に、液面（残量）を必ず確認し、また、粉末などの固形物であれば、それを溶かして使用する場合もあるため、必ずその溶け具合を確認しており、これら必然的に行われる確認作業に伴って、意識せずとも自然に、医療作業の直前で、注意・警告を確認できるため、確認直後の作業での誤作業を防止できる。また、ラベルの裏面に注意・警告情報が表示されており、従来のラベルサイズの大きさを変えずに、表面の薬品情報も表示されるので、ラベルの無駄がなく、有効な表示を設けることができる。
【０００８】
また、上記課題を解決するために、薬液が収容可能な透視性を有する薬品容器と、該薬品容器の胴部に巻き付けられるように貼着される非透視性の、前記胴部の周長よりも短い巻き付け長さのラベルと、を備え、前記ラベルの表面には、薬品情報を表示した薬品情報表示部が設けられ、一方、前記ラベルの裏面の中間部には、注意・警告情報を表示した注意・警告情報表示部が設けられ、前記ラベルが前記胴部に巻き付けられた状態で、前記ラベルの両端が一定間隔離れることによって形成されるラベル空白領域から前記ラベルの裏面の前記注意・警告情報表示部を外部から視認することができるようにしたことを特徴とする。
【０００９】
上記構成とすることにより、薬品容器に貼着されるラベルの裏面に表示された注意・警告情報を、ラベルの両端間のラベル空白領域から胴部を透かして外部から視認することができる。このときには、容器内の薬液（内容液）を取り出す際に、液面（残量）を必ず確認し、また、粉末などの固形物であれば、それを溶かして使用する場合もあるため、必ずその溶け具合を確認しており、これら必然的に行われる確認作業に伴って、意識せずとも自然に、医療作業の直前で、注意・警告を確認できるため、確認直後の作業での誤作業を防止できる。また、ラベルの裏面に注意・警告情報が表示されており、従来のラベルサイズの大きさを変えずに、表面の薬品情報も表示されるので、ラベルの無駄がなく、有効な表示を設けることができる。
【００１０】
また、上記課題を解決するために、前記注意・警告情報表示部の位置が、前記ラベルの両端間に形成される前記ラベル空白領域に対して、前記胴部の径方向で対峙するように配置させたことを特徴とすることにより、注意・警告情報が常に、ラベルの両端におけるラベル空白領域の間に位置するため、最小限の大きさでも、見やすく、外部から明瞭に視認できる。
【００１１】
また、上記課題を解決するために、薬液が収容可能な透視性を有する薬品容器と、該薬品容器の胴部に巻き付けられるように貼着される非透視性のラベルと、を備え、前記ラベルの表面には、薬品情報を表示した薬品情報表示部が設けられ、一方、前記ラベルの裏面の中間部には、注意・警告情報を表示した注意・警告情報表示部が設けられ、前記ラベルの一部に、そのラベルから分離可能で当該薬品容器以外の他の対象に貼着させる分離ラベル部が形成され、前記ラベルが前記胴部に巻き付けられた状態で、前記分離ラベル部が前記ラベルから分離された後に生じるラベル空白領域から前記ラベルの裏面の前記注意・警告情報表示部を外部から視認することができるようにしたことを特徴とする。
【００１２】
上記構成とすることにより、上記効果に加え、当該薬品容器内に収容される薬品の使用直前に医療従事者の意識によって分離ラベル部を分離させることができ、これによって、初めて注意・警告情報が確認できるため、その情報に対する認識性が高まり、確認直後の作業での誤作業の防止機能を高めることができる。また、例えば、薬品情報表示部と同様な情報を分離ラベル部に設ければ、他の対象（例えば注射器）に貼着させることにより、注射器内の薬品を識別することが可能となる。
【００１３】
また、上記課題を解決するために、前記ラベルは、前記薬品容器の胴部をほぼ１周するように、その薬品容器に巻き付けられ、前記分離ラベル部は、前記ラベルの両端の少なくとも一方の側又は中間部に形成され、その分離ラベル部が前記ラベルから分離されることにより前記ラベル空白領域が生じるようにしたことを特徴とすることにより、上記効果に加え、分離ラベル部を分離させた後のラベル空白領域から胴部を透かして、初めて注意・警告情報が外部から確認できるため、その情報に対する認識性が高まり、確認直後の作業での誤作業の防止機能を高めることができる。
【００１４】
また、上記課題を解決するために、前記注意・警告情報表示部はラベルの裏面に印刷され、その印刷後、ラベルの裏面における前記注意・警告情報表示部を含む又は除く領域には、粘着部が形成されることを特徴とすることにより、注意・警告情報表示部を含む領域に粘着部が形成される場合、ラベル裏面の全域で胴部に貼着できるため、貼着状態が強固で良好となる。また、注意・警告情報表示部を除く領域に貼着部が形成される場合、注意・警告情報表示部に貼着部を有していないため、ラベル空白領域から視認するときのに貼着部による影響をうけないので良好となる。また、前記ラベルの裏面における前記注意・警告情報表示部を含む又は除く領域には、粘着部が形成され、その粘着部の形成後、前記注意・警告情報表示部を印刷したことを特徴とすることにより、注意・警告情報表示部を含む領域に粘着部が形成される場合、ラベル裏面の全域で胴部に貼着できるため、貼着状態が強固で良好となる。また、注意・警告情報表示部を除く領域に貼着部が形成される場合、注意・警告情報表示部に貼着部を有していないため、ラベル空白領域から視認するときに貼着部による影響をうけないので良好となる。
【考案を実施するための最良の形態】
【００１５】
以下、本考案の実施の形態を図面に基づいて説明する。図１は、本考案のラベル付き薬品容器を示す図である。図２、図３はラベル付き薬品容器の他の形態を示す図である。図１〜図３において、ラベル付き薬品容器１は、薬液としての医薬品が収容可能な薬品容器２の胴部２ａに貼着されるラベル３を備えている。
【００１６】
この、薬品容器２として、図１の形態であるバイアル、図２の形態であるアンプル、図３の形態であるプレフィルドシリンジなどや、図示しない点滴用の輸液用バッグが挙げられる。バイアルは、医薬品が封入され、使用に際して注射針などを刺して医薬品を吸い出すことができる円筒容器である。アンプルは、医薬品が封入され、使用に際して一部分を分断して開口部を形成することで医薬品を取り出すことができる円筒容器である。プレフィルドシリンジは、予め医薬品が封入された注射器（シリンジ）や、薬液を充填する前の注射器（シリンジ）である。
【００１７】
薬品容器２は、ガラス、合成樹脂製によって形成され、内容物としての薬剤が外部から医療従事者の目で直接、視認することができるように透視性を備えている。
【００１８】
薬剤も薬品容器２と同様に、内容物としての薬剤が外部から医療従事者の目で直接、視認することができるように透視性を備えている。
【００１９】
薬品容器２の胴部２ａに巻き付けて貼着されるラベル３の材質は、例えば、非透視性を有する紙、合成紙、合成樹脂製フィルムなどが挙げられる。ラベル３は容易に折り曲げることができる可撓性のあるシート材が用いられる。
【００２０】
ラベル３の表面３ａには、図７に示すように、医療機関などで使用される医薬品の品名、ロット番号、製造日、品質保持期限等の薬品情報を表示した薬品情報表示部Ａが設けられる。
【００２１】
ラベル３の裏面３ｂの中間部には、図８に示すように、文字、図形によって表される注意・警告情報を表示した注意・警告情報表示部Ｂが設けられるとともに、図示しない粘着剤が塗工されることにより、粘着部３ｃが設けられている。
【００２２】
このような形態のラベル３は、薬品容器２の胴部２ａの周長よりも短い巻き付け長さとなるように、矩形シート状に形成される。このラベル３は、薬品容器２の胴部２ａに巻き付けられた状態で、ラベル３の巻付方向Ｘの両端としての巻始３ｄと巻終３ｅとの間が一定間隔離れることによってラベル空白領域Ｃが形成される。
【００２３】
このことによって、注意・警告情報表示部Ｂの位置が、ラベル３の両端間に形成されるラベル空白領域Ｃに対して、胴部２ａの径方向で対峙するように配置される。この結果、ラベル３の巻始３ｄと巻終３ｅとの間のラベル空白領域Ｃからラベル３の裏面３ｂに設けられる注意・警告情報表示Ｂが、薬品容器２の胴部２ａを透かして視認することができるようなる。
【００２４】
また、注意・警告情報表示部Ｂはラベル３の裏面３ｂに印刷され、その印刷後、ラベル３の裏面３ｂにおける注意・警告情報表示部Ｂを含む又は除く領域に、粘着部３ｃを形成することも可能となる。
【００２５】
また、他の例として、ラベル３の裏面３ｂにおける注意・警告情報表示部Ｂを含む又は除く領域に、粘着部３ｃを形成する。その粘着部３ｃの形成後、注意・警告情報表示部Ｂを印刷することも可能となる。
【００２６】
図４に、本考案の他の実施の形態としてのラベル付き薬品容器１Ａを示す。図４において、この例による他の構成部材について、上述の他の実施の形態における構成部材と同様な部材は、図中に同一符号を付して、その詳細な説明は省略する。
【００２７】
本例でのラベル３は、その一部である両端としての巻初３ｄ、巻終３ｅのいずれか一方（本例では巻終３ｅの内側）に、該ラベル３からミシン目などの分離線３ｆによって分離可能で、当該薬品容器２以外の他の対象、例えば薬液を充填する前の注射器（シリンジ）Ｅに貼着させる分離ラベル部３ｇが形成される。この分離ラベル３ｇには、該分離ラベル３ｇを分離させるための把持片３ｇ１が設けられている。
【００２８】
そして、ラベル３が胴部２ａに巻き付けられた状態で、分離ラベル部３ｇがラベル３から分離された後に生じるラベル空白領域Ｃからラベル３の裏面３ｂの注意・警告情報表示部Ｂを外部から視認することができる。また、分離ラベル部３ｇにも、薬品情報表示部Ａと同様な補助薬品情報表示部Ａ１を設けることが好ましい。これによって分離ラベル部３ｇが貼着される注射器（シリンジ）Ｅ内の薬品を識別することが可能となる。
【００２９】
図５に、本考案の他の実施の形態としてのラベル付き薬品容器１Ｂを示す。図５において、この例による他の構成部材について、上述の他の実施の形態における構成部材と同様な部材は、図中に同一符号を付して、その詳細な説明は省略する。
【００３０】
本例でのラベル３は、薬品容器２の胴部２ａをほぼ１周するように、その薬品容器２に巻き付けられる。ラベル３には、分離ラベル部３ｇが形成される。この分離ラベル部３ｇは、ラベル３の両端の少なくとも一方の側（本例では巻終３ｅの内側）又は中間部（本例では巻終３ｅの内側）に、ミシン目などの分離線３ｆによって分離可能としている。この分離ラベル３ｇには、該分離ラベル３ｇを分離させるための把持片３ｇ１が設けられている。そして、分離ラベル部３ｇがラベル３から分離されることによりラベル空白領域Ｃが生じため、ラベル３の裏面３ｂの注意・警告情報表示部Ｂを外部から視認することができる。
【００３１】
図６に、本考案の他の実施の形態としてのラベル付き薬品容器１Ｃを示す。図６において、この例による他の構成部材について、上述の他の実施の形態における構成部材と同様な部材は、図中に同一符号を付して、その詳細な説明は省略する。
【００３２】
本例でのラベル３は、ラベル３の両端としての巻始３ｄと巻終３ｅとの間に、ラベル空白領域Ｃを生じないように胴部２に巻き付けている。このラベル３の場合では、巻付方向Ｘと交差する方向のラベル幅Ｗを、胴部２ａの高さＨよりも短くすることによって、胴部２ａの斜め上方の外部から上方胴部２ａ１を透かして注意・警告情報表示部Ｂを視認することができる。
【００３３】
注意・警告情報表示部Ｂの具体例を説明する。図８（ｂ）で示す注意・警告情報Ｂは、薬液が劇薬であることを警告色としての例えば赤色などで表示するものである。図８（ｃ）で示す注意・警告情報表示部Ｂは、薬液が毒性を有するものであることを警告色としての例えば黒色などで表示するものである。図８（ｄ）で示す注意・警告情報表示部Ｂは、薬液が注射を禁止しているものであることを警告色としての例えば赤色などで表示するものである。図８（ｅ）で示す注意・警告情報表示部Ｂは、薬液が希釈して使用しなければならないものであることを警告色としての例えば赤色などで表示するものである。図８（ｆ）で示す注意・警告情報表示部Ｂは、薬液が静脈内への投与を禁止しているものであることを警告色としての例えば赤色などで表示するものである。なお、警告色は上例に限るものではなく、種々の色から一種のものを選択することができる。
【図面の簡単な説明】
【００３４】
【図１】本考案のラベル付き薬品容器を示す図。
【図２】ラベル付き薬品容器の他の形態を示す図。
【図３】ラベル付き薬品容器の他の形態を示す図。
【図４】ラベル付き薬品容器の他の形態を示す図。
【図５】ラベル付き薬品容器の他の形態を示す図。
【図６】ラベル付き薬品容器の他の形態を示す図。
【図７】ラベル表面を示す展開図。
【図８】ラベル裏面における注意・警告情報表示部の各種形態を示す展開図。
【符号の説明】
【００３５】
１          ラベル付き薬品容器
２          薬品容器
２ａ        胴部
３          ラベル
３ａ        表面
３ｂ        裏面
３ｃ        粘着部
３ｄ、３ｅ  両端（巻初、巻終）
３ｇ        分離ラベル部
Ｘ          巻付方向
Ａ          薬品情報表示部
Ｂ          注意・警告情報表示部
Ｃ          ラベル空白領域
【図１】
0003141505.tif 000003
【図２】
0003141505.tif 000004
【図３】
0003141505.tif 000005
【図４】
0003141505.tif 000006
【図５】
0003141505.tif 000007
【図６】
0003141505.tif 000008
【図７】
0003141505.tif 000009
【図８】
0003141505.tif 000010